(57)【特許請求の範囲】
【請求項１】
弁口（６ａ）を形成してシリンダヘッド（５）に設けられる弁座部材（６）と、該弁座部材（６）に着座し得る機関弁（Ｖ）のステム（８）に連動、連結されるアーマチュア（１２）と、該アーマチュア（１２）を吸引して機関弁（Ｖ）を開弁作動せしめる電磁力を発揮する開弁側電磁石（１３）と、前記アーマチュア（１２）を吸引して機関弁（Ｖ）を閉弁作動せしめる電磁力を発揮する閉弁側電磁石（１４）と、前記機関弁（Ｖ）を開弁方向に付勢する弾発力を発揮する開弁側弾発手段（１５）と、前記機関弁（Ｖ）を閉弁方向に付勢する弾発力を発揮するとともに開弁側および閉弁側電磁石（１３，１４）の消勢時には開弁側弾発手段（１５）と共働してアーマチュア（１２）を所定の中立位置に保持する閉弁側弾発手段（１６）とを備えてなり、
アーマチュア（１２）の閉弁側電磁石（１４）への吸引に伴って機関弁（Ｖ）への弾発力作用を停止すべく開弁側弾発手段（１５）の弾発力がアーマチュア（１２）に付与されると共に、アーマチュア（１２）の閉弁側電磁石（１４）への吸引時に該アーマチュア（１２）との軸方向相対移動が可能なステム（８）に閉弁側弾発手段（１６）の弾発力が付与されており、機関弁（Ｖ）の弁座部材（６）への着座時に閉弁側弾発手段（１６）の弾発力のみを該機関弁（Ｖ）に作用せしめるようにした内燃機関の動弁装置であって、
機関弁（Ｖ）がその閉弁作動時に弁座部材（６）に着座するまではアーマチュア（１２）およびステム（８）を一体的に移動せしめるが、機関弁（Ｖ）の着座に伴なうステム（８）の移動停止後には該ステム（８）との軸方向相対移動によりアーマチュア（１２）を閉弁側電磁石（１４）に近接移動させ得る連結手段（５６1 ）を介して、アーマチュア（１２）およびステム（８）が連動、連結され、
前記連結手段（５６1 ）が、閉弁側電磁石（１４）とは反対側からアーマチュア（１２）に係合することを可能としてステム（８）の上端に固定された有底円筒状のキャップ（５７1 ）を、軸方向の相対摺動を可能としてアーマチュア（１２）に嵌合させて成ることを特徴とする、内燃機関の動弁装置。
【発明の詳細な説明】
【０００１】
【発明の属する技術分野】
本発明は、内燃機関の動弁装置に関し、特に、弁口を形成してシリンダヘッドに設けられる弁座部材と、該弁座部材に着座し得る機関弁のステムに連動、連結されるアーマチュアと、該アーマチュアを吸引して機関弁を開弁作動せしめる電磁力を発揮する開弁側電磁石と、前記アーマチュアを吸引して機関弁を閉弁作動せしめる電磁力を発揮する閉弁側電磁石と、前記機関弁を開弁方向に付勢する弾発力を発揮する開弁側弾発手段と、前記機関弁を閉弁方向に付勢する弾発力を発揮するとともに開弁側および閉弁側電磁石の消勢時には開弁側弾発手段と共働してアーマチュアを所定の中立位置に保持する閉弁側弾発手段とを備える内燃機関の動弁装置に関する。
【０００２】
【従来の技術】
従来、かかる動弁装置は、たとえばＰＣＴ国際公開公報ＷＯ９５／００９５９等により既に知られている。
【０００３】
【発明が解決しようとする課題】
上記公報で開示されたものでは、アーマチュアが機関弁のステムの上端部に固定されており、熱膨張によるステムの伸張が生じても機関弁の確実な着座状態を得るために、機関弁の着座状態で閉弁側電磁石およびアーマチュア間に間隙が生じるように設定されている。
【０００４】
ところが、機関弁の弁座部材への着座力は、閉弁側電磁石の電磁力に依存しており、ステムの伸びによる前記間隙の変化や、閉弁側電磁石への通電電流値の変動に起因した前記電磁力の変化によって機関弁の弁座部材への着座力が大きく変化してしまう。
【０００５】
本発明は、かかる事情に鑑みてなされたものであり、ステムの伸びや閉弁側電磁石の通電電流値の変化にかかわらず、機関弁の安定した着座力が得られるようにした内燃機関の動弁装置を提供することを目的とする。
【０００６】
【課題を解決するための手段】
上記目的を達成するために、請求項１の発明によれば、弁口を形成してシリンダヘッドに設けられる弁座部材と、該弁座部材に着座し得る機関弁のステムに連動、連結されるアーマチュアと、該アーマチュアを吸引して機関弁を開弁作動せしめる電磁力を発揮する開弁側電磁石と、前記アーマチュアを吸引して機関弁を閉弁作動せしめる電磁力を発揮する閉弁側電磁石と、前記機関弁を開弁方向に付勢する弾発力を発揮する開弁側弾発手段と、前記機関弁を閉弁方向に付勢する弾発力を発揮するとともに開弁側および閉弁側電磁石の消勢時には開弁側弾発手段と共働してアーマチュアを所定の中立位置に保持する閉弁側弾発手段とを備えてなり、アーマチュアの閉弁側電磁石への吸引に伴って機関弁への弾発力作用を停止すべく開弁側弾発手段の弾発力がアーマチュアに付与されると共に、アーマチュアの閉弁側電磁石への吸引時に該アーマチュアとの軸方向相対移動が可能なステムに閉弁側弾発手段の弾発力が付与されており、機関弁の弁座部材への着座時に閉弁側弾発手段の弾発力のみを該機関弁に作用せしめるようにした内燃機関の動弁装置であって、機関弁がその閉弁作動時に弁座部材に着座するまではアーマチュアおよびステムを一体的に移動せしめるが、機関弁の着座に伴なうステムの移動停止後には該ステムとの軸方向相対移動によりアーマチュアを閉弁側電磁石に近接移動させ得る連結手段を介して、アーマチュアおよびステムが連動、連結され、前記連結手段が、閉弁側電磁石とは反対側からアーマチュアに係合することを可能としてステムの上端に固定された有底円筒状のキャップを、軸方向の相対摺動を可能としてアーマチュアに嵌合させて成ることを特徴とする。
【０００７】
上記特徴によれば、機関弁の弁座部材への着座時に閉弁側弾発手段の弾発力のみが該機関弁に作用せしめられ、機関弁の着座力が閉弁側弾発手段の弾発力で定まることになり、安定した着座力を得ることが可能となる。また閉弁側電磁石の通電によるアーマチュアの閉弁側電磁石への吸引に伴って、機関弁のステムには閉弁側弾発手段の弾発力のみが作用するようになり、複雑な制御を不要として機関弁の着座力を閉弁側弾発手段の弾発力で定めることが可能となる。さらに機関弁の着座後には、ステムを残してアーマチュアを閉弁側電磁石側に近接、移動せしめ、アーマチュア側からの力の伝達を遮断し、ステムに作用する閉弁側弾発手段の弾発力のみによって着座力が得られるようにすることができる。また特にアーマチュア及びステム間の連結手段が、閉弁側電磁石とは反対側からアーマチュアに係合することを可能としてステムの上端に固定された有底円筒状のキャップを、軸方向の相対摺動を可能としてアーマチュアに嵌合させて成るため、キャップの外周面を摺動面とすることにより摺動面の加工が容易となる。
【０００８】
【発明の実施の形態】
以下、本発明の実施の形態を、添付図面に示した本発明の実施例に基づいて説明する。  図１ないし図４は本発明の実施例を示すものであり、図１は機関弁が中立位置に在る状態での動弁装置の縦断面図、図２は機関弁が着座した状態での図１に対応した縦断面図、図３は機関弁着座後にアーマチュアが閉弁側電磁石側に移動した状態での図１に対応した縦断面図、図４は組付時の状態を示す動弁装置の分解縦断面図である。
【０００９】
先ず図１において、この内燃機関のシリンダヘッド５には、吸気弁あるいは排気弁である機関弁Ｖが配設され、該機関弁Ｖは、弁口６ａを形成してシリンダヘッド５に設けられた弁座部材６に着座可能な弁体部７と、該弁体部７に一体に連設されるステム８とから成り、ステム８はガイド筒９内に摺動自在に嵌合される。このガイド筒９は、半径外方に張出すフランジ部９ａを上端に備えるものであり、フランジ部９ａをシリンダヘッド５の上面に係合せしめるまでシリンダヘッド５に圧入されることにより、シリンダヘッド５に固定される。
【００１０】
シリンダヘッド５には、本発明に従う動弁装置１０1 が配設されており、該動弁装置１０1 が、機関弁Ｖにおけるステム８の上端に連結される。
【００１１】
この動弁装置１０1 は、シリンダヘッド５上に分離可能に結合されるケーシング１１と、該ケーシング１１内に移動可能に収納されて機関弁Ｖのステム８に連動、連結されるアーマチュア１２と、該アーマチュア１２を吸引して機関弁Ｖを開弁作動せしめる電磁力を発揮すべくアーマチュア１２の下面に対向する位置でケーシング１１内に配置される開弁側電磁石１３と、前記アーマチュア１２を吸引して機関弁Ｖを閉弁作動せしめる電磁力を発揮すべくアーマチュア１２の上面に対向する位置でケーシング１１内に配置される閉弁側電磁石１４と、機関弁Ｖを開弁方向に付勢する弾発力を発揮する開弁側弾発手段としての開弁側コイルばね１５と、機関弁Ｖを閉弁方向に付勢する弾発力を発揮するとともに開弁側および閉弁側電磁石１３，１４の消勢時には開弁側コイルばね１５と共働してアーマチュア１２を所定の中立位置に保持する閉弁側弾発手段としての閉弁側コイルばね１６とを備える。
【００１２】
ケーシング１１は、機関弁Ｖのステム８と同軸に延びて上端を開放した収納孔１９を形成するケーシング主体１７と、該ケーシング主体１７の上面に固定される蓋板１８とから成り、蓋板１８は、収納孔１９の上端を閉じるようにしてケーシング主体１７の上面に、複数のボルト２０，２０…によって締結される。
【００１３】
またケーシング主体１７の外周部の下部には、上下に延びる複数の支持部２１，２１…が一体に設けられており、これらの支持部２１，２１…には、締結ボルト２２，２２…がそれぞれ挿通され、各締結ボルト２２，２２…がシリンダヘッド５に螺合されることにより、ケーシング１１がシリンダヘッド５の上面に締結される。
【００１４】
ケーシング１１における下端部すなわちケーシング主体１７の下端部には、収納孔１９の内面から半径方向内方に張出す支持鍔２４が一体に設けられており、この支持鍔２４の内周に設けられた雌ねじ２７に、機関弁Ｖのステム８と同軸方向に進退可能として支持筒２５が螺合される。また支持筒２５には、支持鍔２４の下面に係合する止めナット２８が螺合されており、支持筒２５の支持鍔２４への螺合と、支持筒２５への止めナット２８の螺合とによるダブルナット構造により、支持筒２５をステム８と同軸方向に進退可能として支持鍔２４すなわちケーシング１１の下端部に強固に固定することができる。
【００１５】
一方、ケーシング１１の上端部すなわち蓋板１８には、ステム８と同軸である支持孔２９を形成する円筒部３０が上方に突出するようにして一体に設けられており、ステム８の軸方向に沿う移動を可能として筒状の調整部材３１が支持孔２９に摺動自在に嵌合され、該調整部材３１には、その上下方向全長にわたる貫通孔３２が穿設される。
【００１６】
円筒部３０には、調整部材３１の上端を閉塞端に当接させるようにして袋ナット３４が螺合され、該袋ナット３４の進退位置を規制するようにして円筒部３０に止めナット３５が螺合される。すなわち袋ナット３４および止めナット３５でダブルナット構造が構成されるものであり、袋ナット３４の進退位置を調整することにより、調整部材３１の軸方向外方側への移動端を調整可能として強固に規制することができる。また袋ナット３４の閉塞端には、調整部材３１の貫通孔３２に同軸に連なる孔３６が設けられる。
【００１７】
機関弁Ｖにおけるステム８の上部は、支持筒２５を同軸に貫通するようにして下方からケーシング主体１７に挿入されるものであり、ステム８の上端部には、二つ割りコッタ３７によりリテーナ３８が固定される。またシリンダヘッド５の上面には、ガイド筒９の上端のフランジ部９ａを覆うようにしてキャップ状の受け部材３９が当接されており、該受け部材３９を軸方向移動自在に貫通するステム８を囲繞する閉弁側コイルばね１６がリテーナ３８および受け部材３９間に設けられ、この閉弁側コイルばね１６のばね力によりステム８すなわち機関弁Ｖが閉弁方向に弾発付勢される。しかも受け部材３９内には、ステム８の外面に摺接するリング状のシール部材４０が保持される。
【００１８】
アーマチュア１２は円盤状に形成されており、該アーマチュア１２と、調整部材３１との間に開弁側コイルばね１５が設けられ、この開弁側コイルばね１５のばね力により、アーマチュア１２は、下方すなわち機関弁Ｖの開弁方向に弾発付勢される。
【００１９】
開弁側電磁石１３は、アーマチュア１２の下面に対向するようにして収納孔１９内の下部に固定的に配設されるものであり、ステム８および閉弁側コイルばね１６を同軸に囲繞する円筒状のインナーヨーク４４と、該インナーヨーク４４を同軸に囲繞して収納孔１９に嵌合される円筒状のアウターヨーク４５と、合成樹脂から成るボビンにコイルが巻装されて成るとともにインナーヨーク４４およびアウターヨーク４５間に嵌入されるリング状のコイル組立体４６とから成る。インナーヨーク４４の下端部には、半径方向外方に張出したフランジ部４４ａが一体に設けられており、このフランジ部４４ａの外縁部がアウターヨーク４５の下端に係合される。
【００２０】
閉弁側電磁石１４は、アーマチュア１２の上面に対向するようにして収納孔１９内の上部に固定的に配設されるものであり、調整部材３１を同軸に囲繞する円筒状のインナーヨーク４７と、該インナーヨーク４７を同軸に囲繞して収納孔１９に嵌合される円筒状のアウターヨーク４８と、合成樹脂から成るボビンにコイルが巻装されて成るとともにインナーヨーク４７およびアウターヨーク４８間に嵌入されるリング状のコイル組立体４９とから成る。インナーヨーク４７の上端部には、半径方向外方に張出したフランジ部４７ａが一体に設けられており、このフランジ部４７ａの外縁部がアウターヨーク４８の上端に係合される。
【００２１】
開弁側電磁石１３のアウターヨーク４５と、閉弁側電磁石１４のアウターヨーク４８との間には、アーマチュア１２を囲繞するリング状にして収納孔１９に嵌合されるスリーブ５０が介在せしめられる。また開弁側電磁石１３におけるインナーヨーク４４の下端は、支持筒２５の上端に当接、支持されており、閉弁側電磁石１４におけるインナーヨーク４７の上端と、ケーシング１１における蓋板１８との間にはシム５１が介在せしめられる。すなわち、スリーブ５０を相互間に介在せしめた開弁側および閉弁側電磁石１３，１４は、ケーシング１１の上端部に配置されたシム５１と支持筒２５の上端間に挟持されることにより、ケーシング１１内に固定される。
【００２２】
ケーシング主体１７の下端部において、支持鍔２４に対応する部分にはグロメット５２が嵌合されており、開弁側電磁石１３におけるコイル組立体４６のコイルに連なる一対のリード線５３…が該グロメット５２を貫通してケーシング１１の外方に引出される。また蓋板１８には、グロメット５４が嵌合されており、閉弁側電磁石１４におけるコイル組立体４９のコイルに連なる一対のリード線５５…がグロメット５４を貫通してケーシング１１の外方に引き出される。
【００２３】
アーマチュア１２とステム８とは、アーマチュア１２の開弁側電磁石１３への近接移動時にはアーマチュア１２およびステム８間で力を伝達するがアーマチュア１２の閉弁側電磁石１４への近接移動時には前記力の伝達を遮断する連結手段５６1 を介して連結される。
【００２４】
この連結手段５６1 は、機関弁Ｖがその閉弁作動時に弁座部材６に着座するまではアーマチュア１２およびステム８を一体的に移動せしめるとともに、機関弁Ｖの着座後にはアーマチュア１２が閉弁側電磁石１４に近接移動することを可能とするものであり、閉弁側電磁石１４とは反対側すなわち下方からアーマチュア１２に係合することを可能としてステム８の上端に固定されたキャップ５７1 が、軸方向の相対摺動を可能としてアーマチュア１２に嵌合されて成る。
【００２５】
キャップ５７1 は、アーマチュア１２の下面に係合可能な係合鍔部５８を開口端に有して有底円筒状に形成されるものであり、アーマチュア１２の中央部に相対摺動可能に嵌合される。またステム８の上端部は、圧入あるいはねじ込み等により、該キャップ５７1 に固定される。
【００２６】
機関弁Ｖが中立位置に在る状態で、機関弁Ｖの弁体部７が弁座部材６に着座するまでの距離をＬ1 としたときに、中立位置に在るアーマチュア１２が閉弁側電磁石１４に最大限近接するまですなわち閉弁側電磁石１４に接触するまで移動する距離Ｌ2 は、前記距離Ｌ1 以上に設定されるものである。すなわち、機関弁Ｖの閉弁作動時に、図２で示すように機関弁Ｖの弁体部７が弁座部材６に着座したときに、アーマチュア１２の現在位置と、該アーマチュア１２の閉弁側電磁石１４への近接限位置との間に、距離Ｌ3 （＝Ｌ2 −Ｌ1 ）が生じていることになり、機関弁Ｖの弁座部材６への着座後にアーマチュア１２が、図３で示すように、キャップ５７1 との相対摺動によりステム８を残したまま閉弁側電磁石１４側に距離Ｌ3 だけ近接移動することが可能であり、この距離Ｌ3 は、機関弁Ｖの熱膨張によるステム８の最大伸張量以上に設定される。
【００２７】
しかも図３のようにアーマチュア１２が閉弁側電磁石１４に接触した状態では、アーマチュア１２に作用している開弁側コイルばね１５のばね力、ならびに閉弁側電磁石１４の電磁力はステム８に作用することはなく、ステム８すなわち機関弁Ｖには、閉弁側コイルばね１６のばね力のみが作用している。
【００２８】
次にこの実施例の作用について説明すると、機関弁Ｖにおけるステム８の上部は、ケーシング１１の下端部における支持筒２５を同軸に貫通してケーシング１１内に下方から挿入可能である。また開弁側および閉弁側電磁石１３，１４がケーシング１１内に固定されるとともに、ステム８の上端に固定されているキャップ５７1 が、下方からの係合を可能としてアーマチュア１２に摺動自在に嵌合され、機関弁Ｖを開弁方向に付勢するための開弁側コイルばね１５が、アーマチュア１２とケーシング１１の上端部に支持された調整部材３１との間に設けられてケーシング１１内に収納される。一方、ステム８における上端部にリテーナ３８が固定され、シリンダヘッド５の上面の固定位置に在る受け部材３９とリテーナ３８との間に、閉弁側コイルばね１６が設けられる。
【００２９】
したがって、図４で示すように、ケーシング１１内に開弁側および閉弁側電磁石１３，１４、アーマチュア１２および開弁側コイルばね１５等を収納、配設して、予備組立ユニットＵとしてユニット化することが可能であり、シリンダヘッド５の上方の狭いスペースを避けて予備組立ユニットＵを予め組立てて準備しておくことができる。この予備組立ユニットＵにおいて、アーマチュア１２は開弁側コイルばね１５により開弁側電磁石１３に押し当てられ、開弁側電磁石１３で支持されている。
【００３０】
動弁装置１０1 のシリンダヘッド５への組付にあたっては、図４で示すように、シリンダヘッド５側に機関弁Ｖおよび閉弁側コイルばね１６等が組付けられた状態で、前記予備組立ユニットＵをシリンダヘッド５に組付ければよい。ケーシング１１のシリンダヘッド５への締結により、ケーシング１１内に下方から挿入されるステム８の上端に固定されたキャップ５７1 が、アーマチュア１２に下方から係合するようにして嵌合され、アーマチュア１２が上方に押し上げられて開弁側電磁石１３から離反する。これにより動弁装置１０1 の組立が完了するとともにシリンダヘッド５への組付が終了することになり、動弁装置１０1 の組付作業性を向上することができる。
【００３１】
このような動弁装置１０1 において、開弁側コイルばね１５の弾発力がアーマチュア１２に付与され、閉弁側コイルばね１６の弾発力がステム８に付与されており、アーマチュア１２の閉弁側電磁石１４への吸引時にはアーマチュア１２およびステム８が軸方向に相対移動可能となる。したがって、閉弁側電磁石１４の通電によりアーマチュア１２を閉弁側電磁石１４に近接移動させるだけで、機関弁Ｖのステム８に閉弁側コイルばね１６の弾発力のみを作用させるようにすることができ、複雑な制御を不要として機関弁Ｖの着座時にその着座力を閉弁側コイルばね１６の弾発力で定めることが可能となる。この結果、ステム８の伸びや閉弁側電磁石１４の通電電流値の変化にかかわらず、機関弁Ｖの着座力を閉弁側コイルばね１６で定めるようにして安定した着座力を得ることができる。
【００３２】
またアーマチュア１２およびステム８を連動、連結する連結手段５６1 は、閉弁側電磁石１４とは反対側からアーマチュア１２に係合することを可能としてステム８の上端に固定された有底円筒状のキャップ５７1 を、軸方向の相対摺動を可能としてアーマチュア１２に嵌合させて成るものであり、機関弁Ｖがその閉弁作動時に弁座部材６に着座するまではアーマチュア１２およびステム８を一体的に移動せしめるが、機関弁Ｖの着座後にはアーマチュア１２が閉弁側電磁石１４に近接移動することを可能としている。したがって機関弁Ｖの開弁作動時にアーマチュア１２およびステム８間での力の伝達を遮断する構成を容易に構成し、キャップ５７1 の外周面を摺動面とすることにより摺動面の加工を容易とすることができる。
【００３３】
しかも機関弁Ｖの着座後にアーマチュア１２が閉弁側電磁石１４に近接移動する距離Ｌ3 は、機関弁Ｖの熱膨張による最大伸張量以上に設定されているので、機関弁Ｖの熱膨張に対処することができ、高温時の機関弁Ｖの正常作動を確保することができる。
【００３４】
図５ないし図７は参考例を示すものであり、図５は機関弁が中立位置に在る状態での動弁装置の縦断面図、図６は機関弁が着座した状態での図５に対応した縦断面図、図７は機関弁着座後にアーマチュアが閉弁側電磁石側に移動した状態での図５に対応した縦断面図である。
【００３５】
この動弁装置１０2 は、上記実施例の動弁装置１０1 と同様に、ケーシング１１と、機関弁Ｖのステム８に連動、連結されるアーマチュア１２と、アーマチュア１２の下面に対向する位置でケーシング１１内に配置される開弁側電磁石１３と、アーマチュア１２の上面に対向する位置でケーシング１１内に配置される閉弁側電磁石１４と、機関弁Ｖを開弁方向に付勢する弾発力を発揮する開弁側コイルばね１５と、機関弁Ｖを閉弁方向に付勢する弾発力を発揮するとともに開弁側および閉弁側電磁石１３，１４の消勢時には開弁側コイルばね１５と共働してアーマチュア１２を所定の中立位置に保持する閉弁側コイルばね１６とを備えるものであるが、ステム８およびアーマチュア１２間に設けられる連結手段５６2 の構成が上記実施例と異なる。
【００３６】
この連結手段５６2 は、アーマチュア１２に固定される有底円筒状のキャップ５７2 に、ステム８の上部が摺動可能に嵌合されて成るものである。キャップ５７2 は、アーマチュア１２の下面に係合可能な係合鍔部５８を開口端に有して有底円筒状に形成されるものであり、アーマチュア１２の中央部に嵌合される。またキャップ５７2 のアーマチュア１２からの突出部は、アーマチュア１２の上面に係合するリング５９に圧入され、係合鍔部５８およびリング５９でアーマチュア１２の中央部を挟持するようにしてキャップ５７2 がアーマチュア１２に固定される。またキャップ５７2 の閉塞端には開放孔６０が設けられる。
【００３７】
この参考例によれば、図５で示すように機関弁Ｖが中立位置に在る状態で、閉弁側電磁石１４に通電すると、アーマチュア１２が閉弁側電磁石１４側に吸引されるのに応じて、機関弁Ｖが閉弁作動し、図６で示すように機関弁Ｖの弁体部７が弁座部材６に着座する。この状態で、キャップ５７2 およびアーマチュア１２は、機関弁Ｖのステム８に対して上方すなわち閉弁側電磁石１４側に移動することが可能であり、閉弁側電磁石１４への通電持続に伴って、アーマチュア１２およびキャップ５７2 は、ステム８を残したまま閉弁側電磁石１４側に近接移動する。これにより図７で示すように、アーマチュア１２が閉弁側電磁石１４に接触した状態では、アーマチュア１２に作用している開弁側コイルばね１５のばね力、ならびに閉弁側電磁石１４の電磁力はステム８に作用することはなく、ステム８すなわち機関弁Ｖには、閉弁側コイルばね１６のばね力のみが作用している。
【００３８】
この結果、上記実施例と同様に、ステム８の伸びや閉弁側電磁石１４の通電電流値の変化にかかわらず、機関弁Ｖの着座力を閉弁側コイルばね１６で定めるようにして安定した着座力を得ることができる。
【００３９】
しかも前記連結手段５６2 は、アーマチュア１２に固定された有底円筒状のキャップ５７2 にステム８の上端部が摺動自在に嵌合されて成るものであり、アーマチュア１２がステム８を残して閉弁側電磁石１４に近接移動するときには、キャップ５７2 すなわちアーマチュア１２がステム８の上端部で支持された状態となるので、アーマチュア１２の振れを防止して該アーマチュア１２を閉弁側電磁石１４に安定的に吸引せしめることができる。
【００４０】
またキャップ５７2 の閉塞端に開放孔６０が設けられることにより、キャップ５７2 と、該キャップ５７2 に摺動可能に嵌合されるステム８との間に生じる空間が加圧されたり、減圧されたりすることを回避し、機関弁Ｖの閉弁時に前記空間の容積が増大する際にステム８が上方に吸引されることを防止して、着座力の増大を防止することができる。
【００４１】
以上、本発明の実施例を詳述したが、本発明は上記実施例に限定されるものではなく、特許請求の範囲に記載された本発明を逸脱することなく種々の設計変更を行なうことが可能である。
【００４２】
【発明の効果】
以上のように本発明によれば、機関弁の弁座部材への着座時に閉弁側弾発手段の弾発力のみが該機関弁に作用するようにして、ステムの伸びや閉弁側電磁石の通電電流値の変化にかかわらず、安定した着座力を得ることが可能となる。また閉弁側電磁石の通電によるアーマチュアの閉弁側電磁石への吸引に伴って機関弁のステムには閉弁側弾発手段の弾発力のみが作用せしめるようにし、複雑な制御を不要として機関弁の着座力を閉弁側弾発手段の弾発力で定めることが可能となる。しかもアーマチュアおよびステム間に設けられる連結手段により、機関弁の着座後には、ステムを残してアーマチュアを閉弁側電磁石側に近接、移動せしめ、アーマチュア側からの力の伝達を遮断し、ステムに作用する閉弁側弾発手段の弾発力のみによって着座力が得られるようにすることができる。また特に上記連結手段が、閉弁側電磁石とは反対側からアーマチュアに係合するようにしてステムの上端に固定された有底円筒状のキャップを、軸方向の相対摺動を可能としてアーマチュアに嵌合させて成るため、キャップの外周面を摺動面として摺動面の加工を容易とすることができる。
【図面の簡単な説明】
【図１】本発明の実施例において機関弁が中立位置に在る状態での動弁装置の縦断面図
【図２】機関弁が着座した状態での図１に対応した縦断面図
【図３】機関弁着座後にアーマチュアが閉弁側電磁石側に移動した状態での図１に対応した縦断面図
【図４】組付時の状態を示す動弁装置の分解縦断面図
【図５】参考例において機関弁が中立位置に在る状態での動弁装置の縦断面図
【図６】機関弁が着座した状態での図５に対応した縦断面図
【図７】機関弁着座後にアーマチュアが閉弁側電磁石側に移動した状態での図５に対応した縦断面図
【符号の説明】
５・・・シリンダヘッド
６・・・弁座部材
６ａ・・・弁口
８・・・ステム
１０1 ，１０2 ・・・動弁装置
１２・・・アーマチュア
１３・・・開弁側電磁石
１４・・・閉弁側電磁石
１５・・・開弁側弾発手段としての開弁側コイルばね
１６・・・閉弁側弾発手段としての閉弁側コイルばね
５６1 ・・・連結手段
５７1 ・・・キャップ
Ｖ・・・機関弁
【図１】
0003605476.tif 000002
【図２】
0003605476.tif 000003
【図３】
0003605476.tif 000004
【図４】
0003605476.tif 000005
【図５】
0003605476.tif 000006
【図６】
0003605476.tif 000007
【図７】
0003605476.tif 000008